Podtech/llm-jp-corpus-v4-ja_patent huggingface dataset:
(57)【要約】【課題】  従来は、学童等が道路を横断する場合には、手をあげたり、横断旗を出したりしていた。しかし、手の上げ方が悪かったり、携帯していても横断旗を出さないことにより交通事故の被害にあう場合があった。  また、学童等が性的被害等にあうのを防止するために防犯ブザ−を携帯するものがが多くなったが、ポケットへの収納やランドセル等への装着のため、迅速に対応できなかった場合や電池切れのため役に立たなかった状況もあった。【解決手段】携帯型の道路横断手旗器具の旗を出すとともにブザ−を鳴らすことにより、自動車等の運転者に注意を喚起して、安全に道路を横断するものである。  また、学童等が身の危険を感ずる事案が発生した場合には、道路横断手旗器具に備えた防犯ブザ−を迅速的確に鳴らして、事案の未然防止ができるものである。【選択図】図２
2011118320.tif 000002
【特許請求の範囲】
【請求項１】
道路を横断する際に用いる携帯の手旗器具であって、スイッチの操作によりモ−タ−の軸に備わる旗の伸張と収納ができること、及び旗の最伸張時には自動スイッチによりブザ−が吹鳴すること、及び旗を収納する際はブザ−の吹鳴は止むことを特徴とする道路横断手旗器具。
【請求項２】
身の危険を感じる事案が発生した場合には、本器具に備えた防犯ブザ−のスイッチ操作により警報ブザ−が吹鳴することを特徴とする上記請求項１記載の道路横断手旗器具。
【発明の詳細な説明】
【技術分野】
【０００１】  本発明は、道路を安全に渡れることを図った道路横断手旗器具に関するものである。
【背景技術】
【０００２】  従来は、学童等が道路を横断する場合は、手を上げたり、棒についた旗を出して横断していた。また、防犯ブザ−は単体としてポケットに入れたりランドセル等につけて、身の危険が発生した場合は、取り出して使用していた。
【先行技術文献】
【特許文献】
【０００３】
【特許文献１】  特開平１１−２８８２３５（公開日  平成１１年１０月１９日）
【特許文献２】  実開昭６２−０１９６９０（公開日  昭和６２年２月５日）
【特許文献３】  実開昭６１−１７６５８６（公開日  昭和６１年１１月４日）
【特許文献４】  実登３１５１１４６
【特許文献５】  実登３０７３６３２
【非特許文献】
【０００４】
【非特許文献１】「有限会社新生社  ２００９年総合カタログ」２３頁  ホイッスル付指導旗
【発明の概要】
【発明が解決しようとする課題】
【０００５】  以上に述べた従来の横断旗では、旗は大きく、取扱いにくい面があり、汚れやすく視認性が低下することがあった。また、体裁等を気にして、使われないことが多く、交通事故の被害にあう状況もあった。【０００６】  防犯ブザ−は、単体としてポケットに入れたりランドセルに装着されてることから、危険発生時に迅速対応ができないため、被害にあう状況もあった。また、電池切れの防犯ブザ−を携行しているものも多く、必要な場合に役にたたなかったケ−スもあった。【０００７】  本発明は、このような従来の問題を解決しようとするものである。
【課題を解決するための手段】
【０００８】  学童等が道路を横断する際に、手に持った本器具のスイッチを入れ、旗を出すとともにブザ−を鳴らして、自動車等の運転者に注意を喚起し、安全に道路の横断ができるものである。横断後は、本器具のスイッチ操作により、ブザ−を止め、旗を収納するものである。
【発明の効果】
【０００９】  上述したように本発明の道路横断手旗器具は、学童等が道路を横断する際、旗とブザ−音により、横断歩行者が目立ち、安全に道路を横断することができるものである。【００１０】  また、本器具の携帯時に身の危険が発生した場合、防犯ブザ−の警報音により身の安全を守ることができるものである。
【図面の簡単な説明】
【００１１】
【図１】本発明の旗を収容時の斜視図
【図２】本発明の旗を伸張時の斜視図
【発明を実施するための形態】
【００１２】  以下、本発明の実施の形態を図１と図２に基づいて説明する。
【００１３】  図１においては、  １は本体である。
【００１４】  ２はシ−ソ−スイッチ、３はモ−タ−、４はモ−タ−の軸に備えられた旗、５はモ−タ−軸から通ずるギヤ、６は減速ギヤ、７の１と７の２はマイクロスイッチ、８は旗の伸張に関連するブザ−である。
【００１５】  ９は防犯ブザ−を鳴らすスイッチ、１０は防犯ブザ−、１１は電池である。
【００１６】  以下、上記構成の動作を説明する。２のシ−ソ−スイッチを入れて３のモ−タ−を回し、その軸に備えられた旗４を伸張する。旗が伸張すると旗の軸に連動したギヤの動きにより７の１のマイクロスイッチが切れて旗の伸張は停止する。停止と同時に２のスイッチの回線により、８のブザ−が吹鳴する。
【００１７】  その後（横断終了後）は、２のシ−ソ−スイッチを逆側に入れると８のブザ−は止まり、４の旗は３のモ−タ−回転により収納される。旗の収納に合わせて７の２のマイクロスイッチが切れて旗の収納は終了停止する。
【００１８】また、必要な場合（身の危険が発生した場合）は、９のスイッチを入れて１０の防犯ブザ−を吹鳴させる。９のスイッチは戻さない限り吹鳴を続けるものである。
本発明は、道路を横断する際の学童等の安全を確保するために旗の表示とブザ−を発するものである。また、身の危険が発生した場合に防犯ブザ−を吹鳴させて身を守るものである。
さらに、本器具の旗の出し入れなどは携帯した器具のスイッチの操作によることから、「おもちゃ感覚」で楽しく安全に使用できるものである。
【符号の説明】
【００１８】１  本体
２  シ−ソ−スイッチ
３  モ−タ−
４  軸と旗
５  モ−タ−から通じるギヤ
６  減速ギヤ
７の１、７の２  マイクロスイッチ
８  ブザ−
９  スイッチ
１０  防犯ブザ−
１１  電池
【図１】
2011118320.tif 000003
【図２】
2011118320.tif 000004
(57)【要約】      （修正有）【課題】ピンホールメガネには、メガネタイプと水中メガネタイプがあるが、気軽に常時携帯するには、わずらわしい。そこで、しおりとして手帳にはさんで、常時気軽に携帯できるようにし、また定規や昼寝の時のアイマスクとしても使用できるようにする多機能ピンホールメガネを提供する。【解決手段】シートでメガネを創作し、小穴（２）を開けてピンホールメガネを創作する。シートだから折りたためば、しおりとして手帳や本にはさみ気軽に携帯することができる構造になる。またメガネの上部を水平にしてメモリ（３）を入れ、定規としても利用できるようにする。そしてピンホールメガネ効果とアイマスク効果を出すために、ピンホールの数を減らし、そしてメガネ全体の構造を、光をさえぎる構造にする。以上の構造だからピンホールメガネ、しおり、定規、アイマスクとして使用でき、常時気軽にしおりとして手帳にはさみ携帯できる多機能ピンホールメガネとなる。【選択図】図３
2011118321.tif 000002
【特許請求の範囲】
【請求項１】
シート（材質は安全なものなら何でもよい）でメガネの形を作り、小穴を開け（２）、鼻キズ防止部（５）を設け、しおりとしてのひも（４）を付け、メガネをたたむとしおり（図２）となるように設計し、またメガネの上部を水平にし、メモリを入れて定規（図１）としても使用できるように創作し、またピンホールメガネ効果とアイマスク効果を出すために光をさえぎる構造（図３）にしたピンホールメガネ。
【発明の詳細な説明】
【技術分野】
【０００１】  本発明は、目のいやし効果と目の訓練として利用されているピンホールメガネを常時気軽に携帯できるようにするために、しおりとして手帳にはさんで気軽に携帯できるようにしたピンホールメガネである。またメガネの上部を定規としても利用でき、アイマスクとしても利用できるようにしたピンホールメガネを提供する。
【背景技術】
【０００２】  従来、ピンホール原理を利用したピンホールメガネはありました。
【発明の概要】
【発明が解決しようとする課題】
【０００３】  しかし、目のいやしと訓練として３分間ほど掛けて使用する以外何もなかった。そして、メガネタイプと水中眼鏡タイプに小穴を入れたもので、常時気軽に携帯するにはわずらわしいものがあった。本発明は、しおりとして常時手帳にはさみ気軽に携帯することができ、また定規としてもアイマスクとしても使用できるピンホールメガネを課題としたものである。
【課題を解決すための手段】
【０００４】  この課題を解決するために試作品を何度も創り実験を繰り返した結果、（図１）のようにメガネをシートで創作し、小穴（２）をあけピンホールメガネを創作した。そしてたたむと、しおりとして手帳や本にはさめるように創作した（図２）。また定規としても使用できるように、メガネの上部を水平にしてメモリ（３）を入れた（図１）。そして、ピンホールメガネ効果とアイマスク効果を出すために小穴の数を減らし、また光をさえぎる構造（図３）にした。
【発明の効果】
【０００５】  本発明は以上の構造だから、たたんでしおりとして手帳や本にはさんで気軽に常時携帯することができるようになった。また、メガネの上部にメモリを入れたことで、しおり状態やメガネを広げた状態で定規として使用できる。そしてシートだから定規として円形のような物体も測ることができる。それから、光をさえぎる構造（図３）にしたため、昼寝や休息の時のアイマスクとしての効果も確認することができた。
【発明を実施するための最良の形態】
【０００６】  以下、本発明の実施例にについて説明する。
図１において、メガネをシート（１）で創作し、小穴（２）を開け、メガネの上部を水平にしてメモリ（３）を入れ、鼻キズ防止部（５）を設け、しおりとしてのひも（４）を付ける。【０００７】  小穴の大きさは直径１ミリほど、小穴と小穴の間隔は２，５ミリほどである。【０００８】  このメガネの材質は安全なものなら何でもよい。また鼻キズ防止部（５）はなくてもよい。定規としてのメモリは表と裏どちらに入れてもよい。【０００９】  メガネの裏の色は黒系で創作（ピンホール原理・アイマスク効果がよく出る）、表は黒系、ブルー系、グリーン系、チャ系、何でもよい。また表のデザインをメガネのふちに目を入れたデザインにしてもよい。
【産業上の利用可能性】
【００１０】  本発明に係るピンホールメガネは、工業的に量産する事が可能であるため、産業上の利用可能性を有する。
【図面の簡単な説明】
【００１１】
【図１】本発明の正面図である。
【図２】本発明を折りたたんで、しおりとしての状態図である。
【図３】本発明の使用状態斜視図である。
【符号の説明】
【００１２】  （１）シートで創作した本発明
（２）小穴
（３）定規
（４）しおりのひも
（５）鼻キズ防止部
【図１】
2011118321.tif 000003
【図２】
2011118321.tif 000004
【図３】
2011118321.tif 000005
(57)【要約】【課題】歩数計を使用中、落として紛失する場合が多く、一方、ズボンをかえる際の取付け・取り外しが面倒であった。また、腰部に歩数計を装着するとファション性に欠けていた。【解決手段】頭部ウェアーのポケット内に歩数計を収納することで落とす事なく、一方、いつでも簡単に取り外しが可能となり、通常歩行時はもちろん運動目的での活用に便利である。更に病気改善目的のイメージがある万歩計の腰部装着ではなく、初めて頭部ウェアーに歩数計を収納することで、今までにないファション性に富んだ外見となる。【選択図】図１
2011118846.tif 000002
【特許請求の範囲】
【請求項１】
頭部ウェアーの外側部分にポケットを設け、そのポケットの中に歩数計を収納させた事を特徴とする歩数計用頭部ウェアー。
【請求項２】
前記頭部ウェアーは、帽子、バイザー、ニット帽、はちまき、頭巾または汗止めである事を特徴とする請求項１記載の頭部ウェアー。
【発明の詳細な説明】
【技術分野】
【０００１】本考案は、日常、歩数計をより簡単に活用する為の歩数計用頭部ウェアーに関するものである。
【背景技術】
【０００２】従来は、通常歩行、または運動目的で歩数計を着ける方法は腰の周辺にクリップで止めるか、紐で結ぶなどが多く、結果、歩数計を落として紛失したり、ジャージ等ズボンを履き替える際の面倒さが難点となっていた。歩数計を使用する際、使用方法が簡易で、落とす心配がなく、ファション性にも富んだ万歩計の使い方を消費者は強く希望している。
【発明の開示】
【発明が解決しようとする課題】
【０００３】通常歩行、または運動目的で歩数計を使用する場合、落として紛失したり、ズボンから取り外す場合が面倒であった。腰につけた場合、病気対策といったイメージがあり見た目のフッション性に欠けた。【０００４】本発明は、運動時に歩数計を落として紛失したり、ズボンから取り外したりする際の面倒を解消した、簡単な歩数計活用を目的とするものである。また、帽子、またはバイザーに取り付けることでファション性にも優れる。
【課題を解決するための手段】
【０００５】帽子に歩数計を収納することで落とす事なく、一方ではいつでも簡単に取り外しが可能となり、歩数計をより便利に活用できる。【０００６】この明細書で頭部ウェアーとは帽子、バイザー、ニット帽、はちまき、頭巾、汗止めなど頭部に装着するものを総称する。ここでは、その一例として帽子にこの発明を適用した場合について説明する。
【発明の効果】
【０００７】帽子、またはバイザーのポケットに上蓋を取り着けることで落とすことがなくなる。
上蓋を開けば取り外しが簡単にできる。今までにない外見で、ファション性にも優れる。
【発明の実施するための最良の形態】
【０００８】以下、本発明の実施状態の図１に基づいて説明する。
【０００９】図１は本発明の実施状態を示す斜視図である。帽子１の外側部分に歩数計２を収納できるポケット３を取り付ける。更に上蓋を取り付けることで激しい運動時には歩数計２の紛失を防止できる。歩数を見たい場合は窓空き４を設けることでいちいち取り外す事なく、数字部分を確認できる。上蓋５を開けば、簡単に帽子から取り外す事ができる。
【００１０】ポケット３を装着する帽子外側の箇所は、前側、後側、上部、横部、またはひさし部、どこでも良い。
【００１１】ポケット３の裏側にマジックテープを施す事で、歩数計が収納された状態でポケット３ごと取付け、取外しが簡単にできる。
【００１２】ポケット３内部は防水加工の生地を使用することで、雨、または大量の汗を掻いた場合でも万歩計が濡れることなく使用できる。
【００１３】ポケット３には、上蓋を図１の様に上部に着ける方法と、横につける方法とがある。
尚、上蓋の裏側にマジックテープを施す事で激しい運動時にも紛失することがない。
【００１４】図２は、図１との相違点のみ説明する。バイザー帽子６に横型にした歩数計８をクリップ７で装着させる。歩数計が接する帽子外側部分は防水加工とし、汗が歩数計につかない様、施す。雨でない場合は、濡れることなく使用でき取外しが簡単である。
【００１５】図３は、図１、図２との相違点のみ説明する。汗止め９に歩数計１０を取付け、汗止めでの歩数計利用を可能とした。
【００１６】図４は、図１、図２、図３との相違点のみ説明する。
図１１の帽子に装着された図１３のポケットには窓空きがなく、歩数計１３が外から見えない。誰にも知られずに、簡単に歩数計を活用する事ができる。
【図面の簡単な説明】
【００１７】
【図１】一般帽子での本発明の実施状態を示す斜視図。
【図２】バイザーへのクリップ方式による本発明の実施状態を示す斜視図
【図３】汗止めへの本発明の実施状態を示す斜視図。
【図４】帽子への窓空きでないポケットによる本発明の実施状態を示す斜視図。
【符号の説明】
【００１８】１帽子本体
２歩数計
３ポケット
４ポケット内窓あき部
５上蓋
６バイザー
７クリップ
８歩数計
９汗止め
１０歩数計
１１帽子
１２歩数計
１３窓なしポケット
【図１】
2011118846.tif 000003
【図２】
2011118846.tif 000004
【図３】
2011118846.tif 000005
【図４】
2011118846.tif 000006
(57)【要約】      （修正有）【課題】電子機器・パソコンワードキーボード状の入力ボタンは単色・形状単一であり、右手と左手の入力ボタン領域が不明であるため、入力しづらく、これを改善し、弱視者にも日本語入力し易くする。【解決手段】電子機器・パソコンのキーボード状入力ボタンに色・模様・形を凹又は凸に付加するとともに、右手人差し指入力ボタン（左手入力との堺）に色と模様・凹又は凸形を設ける。さらに、入力ボタンＦＡＪ＋４か所に入力拠点を配し、全文字拠点を有する。【選択図】図１
2011118851.tif 000002
【特許請求の範囲】
【請求項１】
電子機器・パソコンのキーボード状入力ボタンの色を楽しい美しいものに色付けするものである。
【請求項２】
電子機器・パソコンのキーボード状入力ボタンに楽しい模様や形を凹又は凸に付加し入力し易く弱視者にも同一形を解消により入力し易い物しようとするものである。
【請求項３】
電子機器・パソコンのキーボード状入力ボタンのＦＡＪ＋４か所に入力拠点を配し全文字拠点失することなく入力可能に為し弱視者に優しい入力可能ボタン。
【請求項４】
キーボード状入力ボタン右手人差し指入力ボタン（左手入力との堺）に色と模様・凹又は凸形を設け両手入力領域を一目瞭然に分るようにしてブラインド入力を志す者に取り入力を容易にした。
【発明の詳細な説明】
【技術の分野】
【０００１】  本発明はキーボード状のワード入力ボタンに色・模様・種々なる形を凹又は凸状に右手人差し指入力Ｊ・Ｍ・Ｕボタン３個上形成した。
左手と右手の入力位置を一目瞭然に為し入力を楽しくすると共に入力拠点を４個設け全文字拠点入力可能にしたワード入力ボタンである。
ブラインド入力を容易に効率的にしてブラインドタッチを志す者に取り有意義なるキーボード状のワード入力ボタン。
全文字入力拠点を有する事で弱視者にも日本語入力を容易にした。
【背景の技術】
【０００２】  従来の電子機器・パソコンワードキーボード状の入力ボタンは単色・形状単一で入力し辛い。
右手と左手の入力ボタン領域が不明。
尚入力拠点はＪ・Ｆの人差し指のみで日本語入力は寧ろ小指Ａ・＋に拠点の必要性が大なのに拠点無し。
入力拠点両手１個ずつでは弱視者には日本語入力困難である。
【先行技術文献】
登録実用新案公報  実用新案登録第３１０１０９５号
【非特許文献１】
【非特許文献２】
【発明の概要】
【発明が解決しようとする課題】
【０００３】  従来の電子機器・パソコンワードキーボード状の入力ボタンは単色・形状単一で入力し辛い。
入力拠点はＪ・Ｆの人差し指のみで日本語入力は寧ろ小指Ａ・＋に拠点の必要性が大なのに拠点なし。
右手と左手の入力領域が不明である。
入力拠点両手１個ずつでは弱視者には日本語入力困難である。
以上の問題課題を解決しようするものである。
【課題を解決しようとする手段】
【０００４】  キーボード状電子機器・パソコンのワード入力ボタンの右手入力の人差し指（左手入力の堺）３個上にいろいろ楽しい形凹又は凸に付加し美しい楽しい色・模様を配すると共に入力拠点４個をワード入力ボタン上に設け問題課題を解決しようするものである。
【発明の効果】
【０００５】  本発明はキーボード状のワード入力ボタンに色・模様・種々なる形を凹又は凸状に配され入力が楽しいものになった。
上記をＪ・Ｍ・Ｕボタン３個上形成した事で左手と右手の入力位置が一目瞭然になりブラインドタッチを志す者に取り有意義なものになった。
入力拠点を４個有する事で全文字拠点入力可能になりブラインド入力を容易に効率的になりブラインドタッチを志す者・弱視者にも日本語入力を容易にした。
【図面の簡単な説明】
【０００６】
【図１】パソコンキーボード状ボタン配列例  ●起伏入力拠点  ★模様  赤色で彩られ右手人差し指入力位置左手入力位置との堺
【実施例】
【０００７】ワードを入力する場合左手ＦとＡ右手Ｊ＋を拠点に入力することにより全文字拠点を失することなく確実に容易に入力可能した。
尚★模様楽しいだけで無く右手入力の左手入力の堺を指し、より入力容易にした。
【産業上の利用可能性】
【０００８】種々なる電子機器・パソコン等のキーボード状ワード入力の効率的利用可能にした。
【図１】
2011118851.tif 000003
(57)【要約】【課題】  本発明は、英語などの外国語の学習、習得において、アクセントやイントネーションなどを簡単に覚えられるための装置と、ソフトウェアの文字表記の前にタイミングマークを設け、且つ文字表記に音声出力と同調させた色彩変化テロップとを併用することを提供する手段。【手段】  自分自身の声のフィードバック装置本体の耳あて部と、口あて部とをつなぐサイズ調整用の伸縮自在な蛇腹部を調節し、顔の左側へと装着する。ゲーム機やパソコンなどの映像画面上の文字表記の前にタイミングマークを設け、且つ文字表記に音声出力と同調させた色彩変化テロップを使用して、出力する手本の発声と色彩変化を同調させたソフトウェアを併用する。                  本発明は、以上の構成からなる自分自身の声を片耳へと伝達するための自分自身声のフィードバック装置と、映像画面上の文字表記の前にタイミングマークを設け、且つ文字表記に音声出力と同調させた色彩変化テロップとを併用する。【選択図】  図３
2011118150.tif 000002
【特許請求の範囲】
【請求項１】
自分自身の声のフィードバック装置本体の耳あて部と、口あて部とをつなぐサイズ調整用の伸縮自在な蛇腹部を調節し、顔の左側へと装着する。
上記装置と、ゲーム機やパソコンなどの映像画面上の文字表記の前にタイミングマークを設け、且つ文字表記に音声出力と同調させた色彩変化テロップを使用したソフトウェアとを併用する手段。
【発明の詳細な説明】
【技術分野】
【０００１】
本発明は、英語などの外国語の学習、習得を補助するために、自分自身の声を片耳へとダイレクトに伝達するための伸縮自在な声のフィードバック装置と、映像画面上の文字表記の前にタイミングマークを設け、且つ文字表記に音声出力と同調させた色彩変化テロップを使用したゲームソフトなどの記憶媒体を併用する方法に関するものである。 
【背景技術】
【０００２】
従来、英語などの外国語を学習、習得する際には、まず、必ず目で文章を読むと同時に、手本の発声を一度聞いてから、再度思い出しながら発声していた。
【先行技術文献】
【特許文献】
【０００３】
【特許文献１】実用新案登録第3076219号
【特許文献２】特願２００９−２６６０３４号
【発明の概要】
【発明が解決しようとする課題】
【０００４】
従来の学習方法では、必ず手本の発声と、自分自身の発声との聞き取りに時差が生じてしまい、そのため、発声に必要なアクセントやイントネーションなどが十分に習得出来ずに途中で投げ出すケースが大半であった。
【０００５】
特に、人間は無意識の内に、必ず目で文字を読んでしまい視覚情報が最優先されて、そのことにより、耳からの聴覚情報の入力がさらに低下し、そのためアクセントやイントネーションなどが覚えることができない主な要因となっていた。  
【０００６】
また、日本人にとってはカタカナ英語などの複合的な問題も重なり、多くの問題が未解決のままとなっていた。
本発明は、以上の問題点を解決し、英語などの外国語の学習、習得の向上のためになされた方法についてのものである。
【課題を解決するための手段】
【０００７】
自分自身の声のフィードバック装置本体の耳あて部と、口あて部とをつなぐサイズ調整用の伸縮自在な蛇腹部を調節し、顔の左側へと装着する。
ゲーム機やパソコンなどの映像画面上の文字表記の前にタイミングマークを設け、且つ文字表記に音声出力と同調させた色彩変化テロップを使用し、出力する手本の発声と色彩変化を同調させたソフトウェアと、前期装置とを併用する手段である。                  本発明は、以上の構成からなる自分自身の声を片耳へと伝達するための自分自身声のフィードバック装置と、映像画面上の文字表記の前にタイミングマークを設け、且つ文字表記に音声出力と同調させた色彩変化テロップとを併用する方法に関するものである。 
【発明の効果】
【０００８】
本発明の手段により、自分自身の発声は左耳だけにフィードバックされて聞こえ。同時に、音量調整したハードウェアからの手本の発声は右耳だけに同音量で聞こえる。                        
【０００９】
前記、自分自身の声のフィードバック装置と、ゲーム機や、パソコンなどのハードウェアの映像画面上の文字表記の前にタイミングマークを設け、且つ文字表記に音声出力と同調させた、カラオケなどでも使われている出力音声と同調させた彩変化テロップを使用することを併用することで、タイミングマークにより発音のスタートタイミングのズレが矯正され、無意識の内に文字を優先読んでしまう視覚情報優先も軽減されることで、脳のミラーニューロン（物まね機能)が活性化され、手本の発声のアクセントやイントネーションなどを簡単に学習、習得することが可能となる。
【図面の簡単な説明】
【００１０】
【図１】本発明の実施例の想定図
【図２】映像画面上のタイミングマーク及び音声出力と同調した文字表記の色彩変化テロップの一例
【図３】タイミングマーク及び色彩変化テロップの変化例
【発明を実施するための形態】
【００１１】
以下、本発明の実施の形態を説明する。 
（イ）  軟質樹脂からなる自分自身の声のフィードバック装置（1）。
（ロ）  ハードウェアの映像画面上の（2)文字表記の前にタイミングマークを設ける。（ハ）  文字表記に音声出力と同調させた、色彩変化テロップとを併用する。
本発明は以上の構成よりなる。
本発明を使用する場合は、フィードバック装置（1)の伸縮自在な蛇腹部を使用者の顔のサイズに合わせて調整し、口あて部及び耳あて部とを合わせて顔の左側へと装着する。
映像画面上のタイミングマークに発声の出だしを合わせて、文字表記に音声出力と同調させた、色彩変化テロップにより発声する。
【００１２】
ゲーム機や、パソコンなどのハードウェアの映像画面上の文字表記の前にタイミングマークを設け、且つ文字表記に音声出力と同調させた併用することで、発声の出だしのタイミングも矯正され、人間の脳が、優先して文字を読んでしまう目からの視覚情報優先をかなり軽減することができ、その分、耳からの聴覚情報への注力の増加を可能とする。
【実施例】
【００１３】
本発明のフィードバック装置の口あて部（2)より耳あて部（3)への左耳へと聞こえる自分自身の発声の音量に合わせて、右耳へと聞こえるパソコンなどからのハードウェアからスピーカー、イヤホンなどへと出力される手本の発声の音量調整をし、且つ左右に聞こえる音量を概ね平均バランスにする。
それにより脳が持つ機能により、本発明のからの自分自身の発声はフィードバックされて左耳から右脳へと入力され、ハードウェアからの手本の発声は右耳から左脳へと入力される。 
【産業上の利用可能性】
【００１４】
本発明を使い、ハードウェアからの手本の発声と同時に発声することより、脳のミラーニューロン（物真似機能)の働きによって、手本の発声のアクセントやイントネーションなどを簡単に学習、習得することが可能となる。
【符号の説明】
【００１５】
（1）  フィードバック装置本体
（２）  タイミングマーク
（３）  映像画面上の文字表記の色彩変化テロップ使用例
【図１】
2011118150.tif 000003
【図２】
2011118150.tif 000004
【図３】
2011118150.tif 000005
(57)【要約】【課題】本発明は、小型で安価な敷設面積を少なくした太陽光発電能力の発揮構成する太陽電池素子及び太陽光発電装置を提供する。発電効率の高い発電素子の集光体の製造方法であり、一体構成の発明によって安定供給、安価な製造方法を提供する。【解決手段】発電効果をたかめるソーラーパネル面を平板型に限らず円筒、凸凹面における敷設面積の増大形成によって発電量を得ることができる発電効率の高い一体構成の製造物。【選択図】なし【特許請求の範囲】
【請求項１】
凸凹、湾曲型面のソーラーパネル面の敷設を特徴とした太陽電池素子の製造方法。
【請求項２】
上記を円筒に構成し、光の入射角度の効率を取り入れ、ソーラーパネル面の敷設を特徴とした太陽電池素子の製造方法。
【請求項３】
Ｖ字型の角度を取り入れ、単一、一対、一体、複数型のソーラーパネル面の敷設を特徴とした太陽電池素子の製造方法。
【請求項４】
上記の記載の製造方法において鏡面部材、反射面部材、レンズ面部材、パラボナ型部材等のソーラーパネル面の敷設を特徴とした太陽電池素子の製造方法。
【請求項５】
太陽電池素子の集合配置の製造方法において請求項１から４を含み、本発明の趣旨構造を逸脱しない範囲の変更は本発明に含まれる。
【発明の詳細な説明】
【技術分野】
【０００１】本発明は、太陽光発電パネルを構成する素子、集合セル配置に関し、受光面に太陽光を効率よく集光する太陽光発電装置に関する。【０００２】本発明は、小型、安価な太陽光発電に関する。【０００３】本発明は、天然太陽光照明発電装置に関する。
【背景技術】
【０００４】従来、太陽光発電装置は、平板型ソーラーパネル構成をなしているが、平面集光の発電量は、小型化追及には、比表面積効果を高めセルの効率を高める必要がある。
しかし、コストは高値で推移しており近い将来の普及を鑑みると安値傾向は困難であり、安定供給で安価な製造プロセスのタイミングにきている。【０００５】上記背景には、太陽光の単位面性に対しエネルギー密度の低さから発電面積が現状段階では、求める発電量に対して装置が大型化している。よって、販売価格が高値になり普及が困難になっている。【０００６】そのため、太陽電池の製造作業工程において、製造原価がビズネスチャンスに結び付く価格と、技術の進化によって、売れる価格設定が望まれる。【０００７】好ましくは、受光面に太陽光が効率良く入射構造に転換することで、一体構造原価の問題解決となる。【０００８】背景技術は、太陽電池素子及び集合配置の進化による太陽光発電装置の提案。
【発明の開示】
【発明が解決しようとする課題】
【０００９】上記の問題を鑑みて、本発明の、太陽移動の太陽光集光の効率を最大限可能とし、性能、効果の小型化した構造の安価な太陽電池素子、太陽光発電装置を特徴とする。【００１０】本発明は、平板型ソーラーパネルから入射効率を高めた単位面積の増加技術の提供で有効性をもって問題解決をはかる。【００１１】従って、高額な太陽電池の価格が普及率の妨げになっており、製造工程において安価な製造方法を提供目的とする。
【課題を解決するための手段】
【００１２】本発明は、上記課題を達成するため、生産性向上に寄与すべき製造方法の一体構成を特徴とする。【００１３】その課題は、小型の発電能力の最大限発揮できる太陽光発電装置の提供にある。
【発明の効果】
【００１４】本発明による太陽光発電の発電効率の高い発電素子の受光面を凸凹面の反射板の配設、レンズ化を採用することで、太陽光の集光増加が得られる。よって、従来の受光面の短縮可能とすることで狭いスペースの設置を可能とすることから作業効率が高められる。施工期間の短縮から低価格の処理費用で済む。【００１５】このように一体構成の作業が容易であり、従来の単一、複雑をなす作業を効率、効果的に発揮される。【００１６】本発明の特徴は，一体化構造の太陽電池素子、太陽光発電装置を安価な製造を特徴とした。【００１７】本発明は、上記作業の安全性、作業効率の向上、量産の向上がはかられ経済的である。
【発明を実施するための最良の形態】
【００１８】本発明の実施形態の一体構成は本実施形態に限定されるものではなく要旨の逸脱しない範囲の設計変更は本発明に含む。【００１９】上記実施形態については、例えば、セルの効率、パネルの構造、ボルト、溶接固定等、一体化構造の範囲の設計製造を述べている。【００２０】請求項１から４記載の発明では、ソーラーパネル面の敷設の特徴とした太陽電池素子の製造方法。【００２１】請求項５記載の本発明の構成方法は、太陽電池素子の集合配置による効率、効果、量産効果等、作業が安全に効率よくでき，工期も短縮ができ経済的であることを特徴とする。
【産業上の利用可能性】
【００２２】本発明は、太陽光発電素子及び太陽光発電装置の製造方法に関する。構造の効率コスト削減的、しかも、簡易な構造で停電被害の解消になり産業上の無駄がない。【００２３】自然エネルギーの太陽光発電効果を屋外、屋内を含む公共施設、アパート、マンション、ビルディング、工場、公園、道路の街灯、橋の街灯等応用範囲は広い。
(57)【要約】【課題】本発明は、天然資源を原料とした珪藻土メッシュの特徴を太陽光発電用半導体製造に用いることと、発電効率の高い発電素子の集光体の製造方法であり、一体構成の発明によって安定供給、安価な製造方法を提供する。【解決手段】珪藻土メッシュを酸性の電解水で処理後、アルカリ性の電解水に沈殿することによって得る高純度のシリカ。発電効率の高い一体構成の製造物。【選択図】なし【特許請求の範囲】
【請求項１】
珪藻土メッシュを酸性水溶液に溶解し、シリカ沈殿物を回収とした製造方法。
【請求項２】
上記の沈殿物をアルカリ水溶液に溶解し、シリカ沈殿物を回収とした製造方法。
【請求項３】
上記のアルカリ水溶液がｐＨ１３以上を特徴とした高純度シリカの製造方法。
【請求項４】
請求項１から３を含み、本発明の趣旨構造を逸脱しない範囲の変更は本発明に含まれる。
【請求項５】
上記の記載の製造方法において高純度シリカを原料とした太陽光発電用シリコン半導体。
【請求項６】
太陽電池素子の集合配置の製造方法。
【発明の詳細な説明】
【技術分野】
【０００１】本発明は、珪藻土メッシュを高純度シリカの製造方法の原料として、太陽高発電用半導体に関する。【０００２】本発明は、二酸化珪素を電解還元技術の製造方法に関する。【０００３】本発明は、太陽光発電装置の素子、集合配置に関する。
【背景技術】
【０００４】従来、シリコン太陽光発電の研究開発をされている。しかし、シリコンのコストは高値で推移しており近い将来の普及を鑑みると安値傾向は困難であり、安定供給で安価な製造プロセスのタイミングにきていることから安価な珪藻土メッシュを電解水のＰＨ調整でもって高純度の製造を特徴とする。【０００５】上記背景には、太陽光の単位面性に対しエネルギー密度の低さから発電面積が現状では一般的に高値の位置から、普及が困難になっている。【０００６】太陽電池の製造作業工程において、売り手、買い手チャンスの分岐点が定まる時点の判断によって、背景技術の進化と売れる価格設定が望まれる。【０００７】上記により、好ましくは、組立、解体を含め短時間、容易に構築ができる作業構造にある。本発明は、これを解決する。【０００８】背景技術においての問題解決は、太陽電池素子及び集合配置の進化、珪藻土メッシュの還元方法の提案。
【発明の開示】
【発明が解決しようとする課題】
【０００９】上記の問題を鑑みて、本発明の、珪藻土メッシュを電解水のアルカリ反応での可溶の特徴を活かし、珪藻土を純度の高いＰＨ値１４の電解水で溶解、沈澱とする。その後の沈澱物質の回収を特徴とする。【００１０】本発明は、高純度シリカ製造方法の技術の提供で有効性をもって問題解決をはかる。【００１１】従って、本発明においての珪藻土メッシュは、半導体の製造工程において高純度をクリアーし、安定供給、安価な製造方法を提供目的とする。
【課題を解決するための手段】
【００１２】本発明は、上記課題を達成するため、生産性向上に寄与すべき製造方法の一体構成を特徴とする。【００１３】本発明は、光純度シリカを原料とした太陽光発電用半導体に関する。
【発明の効果】
【００１４】本発明による太陽光発電の発電効率の高い発電素子の受光面を凹面の反射板、レンズ化を採用することで、太陽光の集光増加が得られる。よって、従来の受光面の短縮可能とすることで狭いスペースの設置を可能とすることから作業効率が高められる。施工期間の短縮から低価格の処理費用で済む。【００１５】このように一体構成の作業が容易であり、従来の単一、複雑をなす作業を効率、効果的に発揮される。【００１６】本発明の特徴は，電解還元装置において、安価な還元速度の大きい電解還元にアモルファ二ス二酸化珪素の珪藻土メッシュをｐＨコントロールで電解精製し、高純度二酸化珪素の製造を特徴とした。【００１７】本発明は、上記作業の安全性、作業効率の向上、量産の向上がはかられ経済的である。
【発明を実施するための最良の形態】
【００１８】本発明の実施形態の一体構成は本実施形態に限定されるものではなく要旨の逸脱しない範囲の設計変更は本発明に含む。【００１９】上記実施形態については、例えば、セルの効率、パネルの構造、ボルト、溶接固定の範囲の設計製造を述べている。【００２０】請求項１から３、５記載の発明では、シリコンをシリカ化に配した製造方法。【００２１】請求項６記載の本発明の構成方法は、太陽電池素子の集合配置による効率、効果、量産効果等、作業が安全に効率よくでき，工期も短縮ができ経済的であることを特徴とする。
【産業上の利用可能性】
【００２２】本発明は、太陽光発電用半導体の製造方法に関する。施工の効率がはかれる。
コスト的な面、しかも、簡易に改善できることで産業上の無駄がない。【００２３】好ましくは、本発明の太陽光発電用半導体の原料は、秋田県北秋田市から産出される良質な多孔質珪藻土を用いるとよい。
〔書類名〕
図書
2011029569.tif 000002
(57)【要約】【課題】高ＮＡ化のための液浸露光において、操作の煩雑性、露光光通過過程での光学的性質のみだれが生じる可能性、液浸用液体と露光レンズとの相互作用等の問題があった。又Ｆ２エキシマレーザー光に対する液浸用液体は、現在実用化されていない。【解決手段】露光対物レンズ内面の使用露光光源の一部の光の露光を受ける最表面側の露光対物レンズ表面の反射光量の測定でもって、又露光を受ける最表面側の露光対物レンズ表面の汚れ付着防止のため、露光対物レンズと露光を受ける最表面間に気体を吹きこみ、そのことによって生じるウエハにかかる圧力で、露光対物レンズと露光を受ける最表面間の距離を計測し、露光対物レンズ表面と露光最表面間の距離を使用露光光の波長以下に保つ。【選択図】図２
2011029572.tif 000002
【特許請求の範囲】
【請求項１】
露光を受ける最表面と露光光学装置の露光対物レンズ表面の距離を、使用露光光の波長以下にして露光する露光装置。
【請求項２】
露光を受ける最表面と露光対物レンズ間に気体を吹きこむ機構を有する請求項１記載の露光装置。
【請求項３】
ウエハにかかる圧を測定して、露光を受ける最表面と露光対物レンズ表面との距離を計測する請求項２記載の露光装置。
【請求項４】
使用露光光の一部を露光対物レンズ内側から露光対物レンズの露光を受ける最表面側の気体との境界面に照射し、その反射光量から露光対物レンズ表面と露光を受ける最表面との距離を計測している請求項１記載の露光装置。
【発明の詳細な説明】
【技術分野】
【０００１】  本発明は、集積回路作製露光装置、特にＡｒＦエキシマレーザー光源又Ｆ２エキシマレーザー光源を使用したスキャナー方式ステッパーの露光装置に関する。
【背景技術】
【０００２】  従来の露光装置では、最も細い集積回路を描画するために、ウエハと露光対物レンズの間に液体を満たして露光する液浸露光装置があった。
【先行技術文献】
【特許文献】
【０００３】
【特許文献１】特開２００８−３０６０７３
【発明の概要】
【発明が解決しようとする課題】
【０００４】  従来の液浸露光方法では、液浸用液体とホトレジスト、又液浸用液体と露光対物レンズの相互作用、液浸用液中に発生することがある微小気泡、液浸用液体の劣化、又Ｆ２エキシマレーザー光源用には、今の所適当な液浸用液体がみつかっていない等の問題があった。【０００５】  本発明は、ドライ露光にて液浸露光と同等又それ以上の細い集積回路を描画する露光装置を提供するものである。
【課題を解決するための手段】
【０００６】  そして、本発明は上記目的を達成するために、露光を受ける最表面と露光対物レンズの距離を使用露光光源の波長以下に近づけて露光している。【０００７】  そのために生じる露光対物レンズの汚れ防止のために、露光を受ける最表面と露光対物レンズ表面との間に、気体を吹きこんで、クリーンな気体をいつも供給している。【０００８】  この時、露光を受ける最表面と露光対物レンズ表面との間にかかる気圧によりウエハが受ける圧力を測定し、露光を受ける最表面と露光対物レンズ表面間の距離を計測して、この間の距離を一定に制御している。【０００９】  又一方、使用中の露光光源の光の一部を、露光対物レンズ内側から露光を受ける最表面に対面している露光対物レンズ表面に斜めから照射し、その反射光量を測定することで、露光対物レンズ表面と露光を受ける最表面の間の距離を計測し、この間の距離を一定に制御している。焦点合わせは、レチクル側の移動にて行っている。
【発明の効果】
【００１０】  本発明露光装置は、上記の様な形態をとっているので、露光を受ける最表面と露光対物レンズ表面間の距離を近づければ近づくほど、その間の気体の屈折率で制限されている解像度から、露光を受ける最表面、ホトレジスト又露光対物レンズの内最も小さい屈折率で制限された解像度へ向上する。【００１１】  又この時、従来の露光方法のホトレジスト、トツプコート、液体又は空気、対物レンズの境界での反射に比較して、ホトレジスト、露光を受ける最表面、対物レンズの境界での反射は小さくなっている。【００１２】  露光を受ける最表面と露光対物レンズ表面間に気体を吹きこんでいるので、照射光による露光を受ける最表面の分解物からなる汚染物質は、いつも流され、露光対物レンズの表面に付着しがたい。【００１３】  この時、ウエハにかかる圧力を測定することで、露光を受ける最表面と露光対物レンズ間の距離を制御することができている。【００１４】  又露光を受ける最表面と、露光対物レンズ表面の距離を使用露光光の波長以下に近づけることで、露光を受ける最表面に対面している露光対物レンズ表面の露光対物レンズ内から照射された使用光源の光の反射率は変化するので、この反射光を測定して、前記二者間の距離を測定できている。
【図面の簡単な説明】
【００１５】
【図１】露光対物レンズの露光を受ける最表面に対面している表面の、露光のための開口範囲と気体吹こみ口位置説明正面図
【図２】露光対物レンズ内の気体吹こみ通路と使用照射光による対物レンズ表面の反射率測定経路、そしてウエハとの位置説明側面図
【発明を実施するための形態】
【００１６】  以下、本発明の実施例を図１〜図２に基づいて説明する。
【実施例】
【００１７】  スキヤナー方式のステツパーである露光装置において、図１、図２の実施例で、露光対物レンズ１にウエハ２の移動方向３に、露光を受ける最表面４に対面する対物レンズ１の表面上の短辺を有する長方形の露光開口口５のウエハ２の移動方向３反対の辺縁に接して、気体吹きこみ口６を設置して、露光対物レンズ１表面と露光を受ける最表面４の間に、使用光源がＡｒＦエキシマレーザーならば空気、Ｆ２エキシマレーザーならば窒素ガスを一定の圧力でもって吹きこんでいる。【００１８】  この時、ウエハ２にかかる圧力を測定し、一定になる様にウエハ２を露光対物レンズ１に近づけると、照射光源の波長以下の一定距離に保つことができている。【００１９】  又対物レンズ１の内側から、露光に使用している光の一部７の、露光対物レンズ１の露光を受ける最表面４側の気体との境界面での反射光８を光検出器９で測定し、露光対物レンズ１の表面と露光を受ける最表面４との距離を求めている
【産業上の利用可能性】
【００２０】  本発明は、ウエハ表面に大規模集積回路を作る時の露光装置として使用できる。
【符号の説明】
【００２１】１  露光対物レンズ
２  ウエハ
４  露光を受ける最表面
５  露光開口口
６  気体吹きこみ口
７  露光に使用している光の一部
８  反射光
９  光検出器
【図１】
2011029572.tif 000003
【図２】
2011029572.tif 000004
(57)【要約】【課題】太陽発電セルは、一般的に紫外光、赤外光線に対しての発電効率が落ちる。そこで紫外光線を発電効率の比較的良い可視光領域に変換し、その光線を従来から発電に寄与している可視光線に加える事が出来れば、太陽電池セルの効率が従来の効率から２０％程度向上させる事が出来る。【解決手段】その方策として図１〜３の様な構造を微小化した平板状の太陽電池セルカバーを考案した。合わせて赤外光線（熱線）を除去する事により更に発電効率が向上するので、従来からあるこの技術も取り入れ組み合わせて発電セルの効率を向上させた。【選択図】図４
2011029571.tif 000002
【特許請求の範囲】
【請求項１】
蛍光膜及びＥＬ発光ナノ粒子膜等の波長変換材料を太陽光線に垂直に立て、直接光線を遮蔽、妨害しない構造
【請求項２】
紫外光線のみを全面的に反射させ、その光線を蛍光膜及びＥＬ発光ナノ粒子膜に当てる構造
【請求項３】
発光した可視光線を太陽電池に吸収合流させる構造
【請求項４】
可視域光線を通し、通過後の可視域反射光線を閉じ込めるべく再反射する膜及び構造
【請求項５】
赤外域光線を全面的に反射させ、紫外光、可視光線を減衰させないで通過させる構造の膜及びレンズの採用
【発明の詳細な説明】
【技術分野】
【０００１】本発明は太陽電池、発電効率を向上させる事に関する。
【背景技術】
【０００２】従来の太陽電池のセルカバーは樹脂で封止したり、ガラスカバー等で覆った構造になっている。
防水構造のみで太陽電池の効率向上には何の役にも立っていない。
【発明の概要】
【発明が解決しようとする課題】
【０００３】しかしながら、▲１▼太陽光の直接光中の可視光域（４００ｎｍ〜１１００ｎｍ）が効率                    良く通過する膜又は反射する膜。
▲２▼紫外光は１００％反射する反射鏡、及び赤外光を反射する膜。
▲３▼紫外光を効率良く可視光に変換する蛍光膜。
▲４▼赤外光１２００ｎｍ以上は全て反射させる膜
の技術を組み合わせる事により、太陽電池の効率の良い４００ｎｍ〜１１００ｎｍの波長のエネルギーを増加させる事が出来る。
合わせて太陽電池の温度上昇による効率低下を除く事が出来る。
そこで、この発明は
●太陽光線に含まれる紫外光を入射させて太陽光線に垂直に立てた蛍光膜に当て、蛍光膜  から出た可視光域のエネルギーを太陽電池に注入する方策を課題とする。
●太陽光中の可視光域（４００ｎｍ〜１１００ｎｍ）は、直接太陽電池セルに吸収させる  方策と太陽電池セルから反射された可視光を再び反射させる方策（光閉じ込め）を課題  とする。
●可視光は良く通すが、赤外光は全て反射させる事が出来る膜を提供する事を課題とする  。
【課題を解決するための手段】
【０００４】第１発明は直接太陽光から紫外光を取り出し、紫外光以外は直接太陽電池セルに投入する。一方取り出した紫外光を効率の良い蛍光発光膜あるいはＥＬ発光ナノ粒子に当て可視光領域に変換し再び直接光に合成する。
この方式を安価に効率良く行う。
第２発明は直接太陽光から赤外光を除去（反射）して、内部に持ち込まない事と合わせて防水機能を持たせた膜構造である。
【発明の効果】
【０００５】第１発明、第２発明を用いた太陽電池セルカバーを、既設の太陽電池セル上面に装着するのみで、発電効率が２０％程度向上する。
【図面の簡単な説明】
【０００６】
【図１】図１は、蛍光材料を用いた太陽電池高効率化カバー（方策その１）図である。
【図２】図２は、蛍光材料を用いた太陽電池高効率化カバー（方策その２）図である。
【図３】図３は、蛍光材料を用いた太陽電池高効率化カバー（方策その３）図である。
【図４】図４は、蛍光材料を用いた太陽電池高効率化カバー（方策その１、方策その２、方策その３）図である。
【図５】図５は、蛍光材料を用いた太陽電池高効率化カバー（方策その１、方策その２、方策その３）図である。
【図６】図６は、集光型太陽電池の場合の（方策その４）図である。集光部に球状Ｓｉ太陽電池を配置した形状で、蛍光材料を用いた反射膜により（紫外光＋可視光）を効率良く球状Ｓｉ太陽電池に導入する。
【図７】図７は、集光型太陽電池の場合の（方策その５）図である。レンズによる集光により蛍光材料を用いた反射膜を配したＩｎＧａＡｓタイプ太陽電池に（紫外光＋可視光）を効率良く導入する集光型太陽電池の場合の（方策その５）図である。
【図８】図８は、集光型太陽電池の場合の（方策その６）図である。レンズの代わりに、蛍光膜を塗布した放物面鏡の焦点部にＩｎＧａＡｓタイプ太陽電池を配置した形状で、蛍光材料を用いた反射膜により（紫外光＋可視光）を効率良く導入する集光型太陽電池の場合の（方策その６）図である。
【図１】
2011029571.tif 000003
【図２】
2011029571.tif 000004
【図３】
2011029571.tif 000005
【図４】
2011029571.tif 000006
【図５】
2011029571.tif 000007
【図６】
2011029571.tif 000008
【図７】
2011029571.tif 000009
【図８】
2011029571.tif 000010
(57)【要約】      （修正有）【課題】太陽発電セルは、一般的に紫外光、赤外光線に対しての発電効率が落ちる。そこで紫外光線を発電効率の比較的良い可視光領域に変換するとともに、赤外光線を除去することにより、太陽電池セルの効率を従来の効率から２０％程度向上させる。【解決手段】微小化した平板状の太陽電池セルカバーと、微小化した放物面鏡型の太陽電池セルカバー、及び波長変換材料とを用い、合わせて赤外光線（熱線）を除去することにより、発電効率を向上させた太陽発電セルを提供する。【選択図】図９
2011029577.tif 000002
【特許請求の範囲】
【請求項１】
蛍光膜及びＥＬ発光ナノ粒子膜等の波長変換材料を太陽光線に垂直に立て、直接光線を遮蔽、妨害しない構造
【請求項２】
紫外光線のみを全面的に反射させ、その光線を蛍光膜及びＥＬ発光ナノ粒子膜に当てる構造
【請求項３】
発光した可視光線を太陽電池に吸収合流させる構造
【請求項４】
可視域光線を通し、通過後の可視域反射光線を閉じ込めるべく再反射する膜及び構造
【請求項５】
赤外域光線を全面的に反射させ、紫外光、可視光線を減衰させないで通過させる構造の膜及びレンズの採用
【発明の詳細な説明】
【技術分野】
【０００１】本発明は太陽電池の発電効率を向上させる事に関する。
【背景技術】
【０００２】従来の太陽電池のセルカバーは樹脂で封止したり、ガラスカバー等で覆った構造になっている。
防水構造のみで太陽電池の効率向上には何の役にも立っていない。
【発明の概要】
【発明が解決しようとする課題】
【０００３】しかしながら、▲１▼太陽光の直接光中の可視光域（４００ｎｍ〜１１００ｎｍ）が効率                    良く通過する膜又は反射する膜。
▲２▼紫外光は１００％反射する反射鏡、及び赤外光を反射する膜。
▲３▼紫外光を効率良く可視光に変換する蛍光膜。
▲４▼赤外光１２００ｎｍ以上は全て反射させる膜
の技術を組み合わせる事により、太陽電池の効率の良い４００ｎｍ〜１１００ｎｍの波長のエネルギーを増加させる事が出来る。
合わせて太陽電池の温度上昇による効率低下を除く事が出来る。
そこで、この発明は
●太陽光線に含まれる紫外光を入射させて太陽光線に垂直に立てた蛍光膜に当て、蛍光膜から出た可視光域のエネルギーを太陽電池に注入する方策を課題とする。
●太陽光中の可視光域（４００ｎｍ〜１１００ｎｍ）は、直接太陽電池セルに吸収させる方策と太陽電池セルから反射された可視光を再び反射させる方策（光閉じ込め）を課題とする。
●可視光は良く通すが、赤外光は全て反射させる事が出来る膜を提供する事を課題とする。
【課題を解決するための手段】
【０００４】第１発明は直接太陽光から紫外光を取り出し、紫外光以外は直接太陽電池セルに投入する。一方取り出した紫外光を効率の良い蛍光発光膜あるいはＥＬ発光ナノ粒子に当て可視光領域に変換し再び直接光に合成する。
この方式を安価に効率良く行う。
第２発明は直接太陽光から赤外光を除去（反射）して、内部に持ち込まない事と合わせて防水機能を持たせた膜構造である。
【発明の効果】
【０００５】第１発明、第２発明を用いた太陽電池セルカバーを、既設の太陽電池セル上面に装着するのみで、発電効率が２０％程度向上する。
【図面の簡単な説明】
【０００６】
【図１】  図１は、蛍光材料を用いた太陽電池高効率化カバー（方策その１）図である。
【図２】  図２は、蛍光材料を用いた太陽電池高効率化カバー（方策その２）図である。
【図３】  図３は、蛍光材料を用いた太陽電池高効率化カバー（方策その３）図である。
【図４】  図４は、蛍光材料を用いた太陽電池高効率化カバー（方策その１、方策その２、方策その３）図である。
【図５】  図５は、蛍光材料を用いた太陽電池高効率化カバー（方策その１、方策その２、方策その３）図である。
【図６】  図６は、集光型太陽電池の場合の（方策その４）図である。集光部に球状Ｓｉ太陽電池を配置した形状で、蛍光材料を用いた反射膜により（紫外光＋可視光）を効率良く球状Ｓｉ太陽電池に導入する。
【図７】  図７は、集光型太陽電池の場合の（方策その５）図である。レンズによる集光により蛍光材料を用いた反射膜を配したＩｎＧａＡｓタイプ太陽電池に（紫外光＋可視光）を効率良く導入する集光型太陽電池の場合の（方策その５）図である。
【図８】  図８は、集光型太陽電池の場合の（方策その６）図である。レンズの代わりに、蛍光膜を塗布した放物面鏡の焦点部にＩｎＧａＡｓタイプ太陽電池を配置した形状で、蛍光材料を用いた反射膜により（紫外光＋可視光）を効率良く導入する集光型太陽電池の場合の（方策その６）図である。
【図９】  図９は、集光型太陽電池の場合の（方策その７）図（イ，ロ）である。▲１▼内面に、紫外光・赤外光を反射し可視光を透過する蛍光膜を形成した放物面鏡と  ▲２▼内面に、紫外光は可視光に変換し反射、赤外光はそのまま透過させるコールドミラー付蛍光体を塗布した焦点部、及び  ▲３▼放物面鏡内部にＣａＦ２を充填した形状  を持つ事により（紫外光＋可視光）を効率良く導入する集光型太陽電池の場合の（方策その７）図（イ，ロ）である。
【図１】
2011029577.tif 000003
【図２】
2011029577.tif 000004
【図３】
2011029577.tif 000005
【図４】
2011029577.tif 000006
【図５】
2011029577.tif 000007
【図６】
2011029577.tif 000008
【図７】
2011029577.tif 000009
【図８】
2011029577.tif 000010
【図９】
2011029577.tif 000011